(57)【要約】【課題】表示された画像に対する領域指定を従来よりも簡単化すると共に、一旦なされた領域指定の変更を容易化する。【解決手段】画像信号に基づいて所定の画像を表示する表示手段と、画像記録媒体に関する定型サイズの種別、当該種別における縦あるいは横、また表示手段に表示された画像に関する第１点及び第２点の指定操作を受け付け、該指定操作を示す操作信号を出力する操作手段と、操作信号に基づいて第1点と第２点とを両端とする線分を縦あるいは横とし、定型サイズの種別に応じた縦横比の矩形領域を指定画像領域として示す画像信号を生成する画像信号生成手段とを具備する。【選択図】図２
2010219764.tif 000002
【特許請求の範囲】
【請求項１】
画像信号に基づいて所定の画像を表示する表示手段と、
画像記録媒体に関する定型サイズの種別、当該種別における縦あるいは横、また前記表示手段に表示された画像に関する第１点及び第２点の指定操作を受け付け、該指定操作を示す操作信号を出力する操作手段と、
前記操作信号に基づいて前記第1点と第２点とを両端とする線分を前記縦あるいは横とし、前記定型サイズの種別に応じた縦横比の矩形領域を指定画像領域として示す前記画像信号を生成する画像信号生成手段と
を具備することを特徴とする画像操作表示装置。
【請求項２】
前記操作手段は、前記指定画像領域の倍率あるいは／及び回転を示す操作指示を受け付け、該指定操作を示す操作信号を出力し、
前記画像信号生成手段は、前記倍率あるいは／及び回転を示す操作指示を示す操作信号に基づいて指定画像領域内の画像に拡大／縮小処理あるいは／及び回転処理を施した画像の画像信号を生成する
ことを特徴とする請求項１記載の画像操作表示装置。
【請求項３】
前記画像信号生成手段は、指定画像領域以外の部分を削除した画像を示す前記画像信号を生成することを特徴とする請求項１または２記載の画像操作表示装置。
【請求項４】
前記表示手段と前記操作手段とは表示機能と操作機能とを備えたタッチパネルによって形成されることを特徴とする請求項１〜３のいずれかに記載の画像操作表示装置。
【請求項５】
請求項１〜３のいずれか一項記載の画像操作表示装置を備えることを特徴とする画像形成装置。
【請求項６】
前記画像操作表示装置は、原稿画像の印刷状態を示すプレビュー画面を表示し、当該プレビュー画面に対して指定された２点を対角線とする矩形領域をトリミング領域として示すプレビュー画面を表示することを特徴とする請求項５記載の画像形成装置。
【発明の詳細な説明】
【技術分野】
【０００１】
本発明は、画像操作表示装置及び画像形成装置に関する。
【背景技術】
【０００２】
例えば、下記特許文献１には画像編集機能を有する画像形成装置が開示されている。この画像形成装置では、テストプリントモードにおいて、特許文献１の図１０等に示されているようにオペレータが印刷用紙の各辺に対するマージンを数値指定して印刷用紙にマージンのエリア枠を設定すると、図１１等に示されているように上記マージンのエリア枠の線画像、各辺に対するマージン幅及び原稿の複写画像が印刷される。
【先行技術文献】
【特許文献】
【０００３】
【特許文献１】特開２０００−２２４４００号公報
【発明の概要】
【発明が解決しようとする課題】
【０００４】
ところで、上記画像形成装置におけるマージンのエリア枠の設定方法は、４辺からなる矩形の印刷用紙の各辺についてマージンを数値指定するものなので、エリア枠の設定が煩雑である。すなわち、上記画像形成装置では、エリア枠を設定するために、印刷用紙の４辺の各々についてマージンを数値設定しなければならないので、つまりユーザは４つの指定操作を行わなければならないので、作業性が悪い。また、一旦設定したエリア枠を再設定するためには、再度数値入力を行わなければならないので、エリア枠を再設定についても作業性が悪い。様々な熟練度のユーザが使用する殿画像形成装置では、未熟なユーザーにとっても操作が分かり易く、かつ簡単なマンマシンインタフェースが特に要望されており、このような観点から上記従来の画像形成装置には改善の余地がある。
【０００５】
本発明は、上述した事情に鑑みたものであり、表示された画像に対する領域指定を従来よりも簡単化することを第１の目的とするものである。また、この発明は、一旦なされた領域指定の変更を容易化することを第２の目的とするものである。
【課題を解決するための手段】
【０００６】
上記目的を達成するために、本発明は、画像操作表示装置に係る第１の解決手段として、画像信号に基づいて所定の画像を表示する表示手段と、画像記録媒体に関する定型サイズの種別、当該種別における縦あるいは横、また表示手段に表示された画像に関する第１点及び第２点の指定操作を受け付け、該指定操作を示す操作信号を出力する操作手段と、操作信号に基づいて第1点と第２点とを両端とする線分を縦あるいは横とし、定型サイズの種別に応じた縦横比の矩形領域を指定画像領域として示す画像信号を生成する画像信号生成手段とを具備する、という手段を採用する。
【０００７】
また、画像操作表示装置に係る第２の解決手段として、上記第１の解決手段において、操作手段は、指定画像領域の倍率あるいは／及び回転を示す操作指示を受け付け、該指定操作を示す操作信号を出力し、画像信号生成手段は、倍率あるいは／及び回転を示す操作指示を示す操作信号に基づいて指定画像領域内の画像に拡大／縮小処理あるいは／及び回転処理を施した画像の画像信号を生成する、という手段を採用する。
【０００８】
画像操作表示装置に係る第３の解決手段として、上記第１または第２の解決手段において、画像信号生成手段は、指定画像領域以外の部分を削除した画像を示す前記画像信号を生成する、という手段を採用する。
【０００９】
画像操作表示装置に係る第４の解決手段として、上記第１〜第３のいずれかの解決手段において、表示手段と操作手段とは表示機能と操作機能とを備えたタッチパネルによって形成される、という手段を採用する。
【００１０】
また、この発明では、画像形成装置に係る第１の解決手段として、上記第１〜第４のいずれかの画像操作表示装置を備える、という手段を採用する。
【００１１】
画像形成装置に係る第２の解決手段として、画像形成装置に係る第１の解決手段において、画像操作表示装置は、原稿画像の印刷状態を示すプレビュー画面を表示し、当該プレビュー画面に対して指定された２点を対角線とする矩形領域をトリミング領域として示すプレビュー画面を表示する、という手段を採用する。
【発明の効果】
【００１２】
本発明によれば、定型サイズの種別における縦あるいは横、また表示手段に表示された画像に関する第１点及び第２点を指定するだけで、当該第1点と第２点とを両端とする線分を縦あるいは横とし、定型サイズの種別に応じた縦横比の矩形領域が指定画像領域として自動的に設定されるので、指定画像領域を４つの指定操作を必要とする従来技術よりも簡単に設定することができる。
また、２点を指定し直すだけで一旦設定された指定画像領域を容易に変更することが可能である。
したがって、本発明によれば、指定画像領域の設定・変更が容易なので、使い勝手を従来よりも向上させることができる。
【図面の簡単な説明】
【００１３】
【図１】本発明の一実施形態に係わる複合機Ａの機能構成を示すブロック図である。
【図２】本発明の一実施形態に係わる複合機Ａの要部動作を示すフローチャートである。
【図３】本発明の一実施形態に係わる複合機Ａにおけるプレビュー画面Ｇを示す第1の模式図である。
【図４】本発明の一実施形態に係わる複合機Ａにおけるプレビュー画面Ｇを示す第２の模式図である。
【図５】本発明の一実施形態に係わる複合機Ａにおけるプレビュー画面Ｇを示す第３の模式図である。
【図６】本発明の一実施形態に係わる複合機Ａにおけるプレビュー画面Ｇを示す第４の模式図である。
【図７】本発明の一実施形態に係わる複合機Ａにおけるプレビュー画面Ｇを示す第５の模式図である。
【発明を実施するための形態】
【００１４】
以下、図面を参照して、本発明の一実施形態について説明する。
図１は、本実施形態に係る複合機Ａの機能構成を示すブロック図である。この複合機Ａは、コピー機、プリンタ、スキャナ及びＦＡＸ等、画像形成に関する各種機能（主機能）を複合的に備える画像形成装置であり、図示するように操作表示部１、画像読取部２、画像記憶部３、通信部４、画像処理部５及び印刷部６から構成されている。
【００１５】
操作表示部１は、図示するように、タッチパネル１ａ及び操作キー１ｂから構成されており、ユーザと本複合機Ａとを関係付けるマンマシンインタフェースとして機能する。タッチパネル１ａは、周知のように液晶表示パネルの表示面に抵抗膜方式等の透明な面状の押圧センサを貼り合わせたものであり、制御部７から入力される画像信号に基づいて液晶表示パネルに各種操作画面を表示すると共に、当該操作画面に含まれる操作ボタン（ソフトウエアキー）がユーザによって押圧操作されると、押圧センサが検出した押圧位置を示す操作信号を制御部７に出力する。
【００１６】
ここで、上記操作画面は、ユーザが使用する複合機Ａの機能に応じて異なる内容の画像である。ユーザは、例えば複合機Ａのコピー機能を使用する場合、タッチパネル１ａ上に表示された初期画面の操作ボタンを押圧操作することにより、原稿のコピー処理に必要な事項を設定するための操作ボタンを含むコピー操作画面をタッチパネル１ａに表示させる。このコピー操作画面には、例えばコピー枚数やコピー用紙サイズ、プレビュー画面の表示等々をユーザが指定するための操作ボタンが含まれている。タッチパネル１ａは、ユーザが上記操作ボタンを押圧操作することによって制御部７から入力される画像信号に基づいて、各種の機能が割り付けられた操作ボタンを含む各種のコピー操作画面を表示する。
【００１７】
また、上記コピー操作画面には、例えばプレビュー画面の表示機能が割り付けられた操作ボタンを含むものがある。タッチパネル１ａは、この操作ボタンの操作によって制御部７から入力される画像信号に基づいて、コピー用紙上における原稿の画像の状態（コピー状態）を示すプレビュー画面をコピー操作画面の１つとして表示する。詳細については後述するが、タッチパネル１ａは、制御部７による制御の下に、上記プレビュー画面上の原稿画像に対するトリミング処理に関する操作指示を受け付け、この操作指示を示す操作信号を制御部７に出力すると共に、制御部７から入力された画像信号に基づいてプレビュー画面を更新する。
【００１８】
操作キー１ｂは、例えば電源キー、各種ファンクションキー（機能キー）、テンキー（数字キー）等からハードウエアキーであり、タッチパネル１ａに表示される操作ボタン（ソフトウエアキー）とは異なる機能が割り付けられている。すなわち、タッチパネル１ａに表示される操作ボタンは制御部７が所定の制御プログラムに基づいて画像として表示させるものであるが、操作キー１ｂは、複合機Ａの操作面に機械的な部品として設けられたものである。このような操作キー１ｂは、ユーザによって操作されると、当該操作を示す操作信号を制御部７に出力する。
【００１９】
画像読取部２は、原稿台及びスキャナ等からなり、制御部７による制御の下に、原稿台に載置された原稿の画像（原稿画像）をスキャナで読み取って原稿画像データとして画像記憶部３に出力する。画像記憶部３は、ハードディスク等の外部記憶装置あるいは／及び半導体メモリから構成されており、制御部７から入力される制御指令に基づいて上記原稿画像データを記憶すると共に当該原稿画像データを読み出して画像処理部５に出力する。
【００２０】
通信部４は、制御部７による制御の下に、ＬＡＮ（Local Area Network）や電話回線を介して外部の複合機やファクシミリ装置、あるいはＰＣ（Personal Computer）等と通信を行うものである。すなわち、この通信部４は、イーサネット（登録商標）等のＬＡＮ規格に準拠した通信機能及びＧ３等のファクシミリ規格に準拠した通信機能を兼ね備えたものである。例えば、通信部４は、外部のＰＣから印刷ジョブを受信すると、当該印刷ジョブの受信を制御部７に通知すると共に、当該印刷ジョブを画像記憶部３に出力して記憶させる。
【００２１】
画像処理部５は、画像記憶部３に記憶された原稿画像データ（上記印刷ジョブに含まれるものも含む）（ＲＧＢ型式画像データ）に各種の画像処理を施すと共に当該画像処理によって生成された原稿画像データ（ＲＧＢ型式画像データ）を印刷形式の原稿画像データ（ＹＣＭＫ型式画像データ）に変換して印刷部６に出力する。
【００２２】
印刷部６は、画像処理部５から入力された印刷形式の原稿画像データに基づいて原稿画像を印刷用紙に印刷するものである。この印刷部６は、例えばタンデム方式を採用するものであり、Ｙ（イエロー）、Ｃ（シアン）、Ｍ（マゼンダ）、Ｋ（ブラック）の各色に対応する複数の感光ドラムを中間転写ベルトに沿って並設し、レーザ光を用いて各感光ドラム上に単色のトナー画像を個別に形成し、各感光ドラム上のトナー画像を中間転写ベルトに転送（一次転写）し、さらに中間転写ベルト上の全色のトナー画像を印刷用紙に二次転写することによって原稿画像データに基づく原稿画像を印刷用紙に印刷する。
【００２３】
制御部７は、ＣＰＵ（Central Processing Unit）及びＲＯＭ（Read Only Memory）やＲＡＭ（Random Access Memory）等の内部メモリ、並びに上記操作表示部１、画像読取部２、画像記憶部３、通信部４、画像処理部５及び印刷部６とのデータ授受を行う各種入出力インターフェース回路等から構成されている。制御部７は、ＣＰＵが操作表示部１から入力される操作指示等に基づいてＲＯＭに記憶された所定の制御プログラムを実行することにより、制御対象である操作表示部１、画像読取部２、画像記憶部３、通信部４、画像処理部５及び印刷部６を統括的に制御する。
【００２４】
この制御部７は、制御プログラムに基づく制御処理の１つとして、画像信号を生成してタッチパネル１ａに出力することによりプレビュー画面をタッチパネル１ａに表示させると共に、タッチパネル１ａから入力された操作信号に基づいて画像信号を生成し直すことによりプレビュー画面の内容を更新する。例えば、制御部７は、プレビュー画面の原稿画像に対するトリミング処理の操作信号がタッチパネル１ａから入力されると、当該操作信号に基づいてトリミング領域を指定画像領域として設定し、当該トリミング領域を示すプレビュー画面を示す画像信号を生成してタッチパネル１ａに出力する。
【００２５】
なお、上述した制御部７とタッチパネル１ａとは、本実施形態における画像操作表示装置を構成している。また、操作機能と表示機能とを備えたタッチパネル１ａは、操作手段と表示手段とに相当し、一方、制御部７は画像信号生成手段に相当する。
【００２６】
次に、このように構成された本複合機Ａの動作について、図２〜図４を参照して詳しく説明する。なお、以下の動作説明では、本複合機Ａにおけるプレビュー画面に対する時系列的な動作を本複合機Ａの要部動作として説明する。
【００２７】
最初に、上記要部動作の前提となる動作について概要を説明する。
本複合機Ａに電源が投入されると、制御部７は、制御プログラムに基づいて初期画面を示す画像信号をタッチパネル１ａに出力することにより上記初期画面をタッチパネル１ａに表示させる。この初期画面には、本複合機Ａが有する各種の主機能に対応する操作ボタン（主機能選択ボタン）が含まれている。このような初期画面に対して、コピー機能が割り付けられた操作ボタン（コピーボタン）をユーザが押圧操作すると、タッチパネル１ａは、上記コピーボタンが押圧操作されたことを示す操作信号を制御部7に出力する。
【００２８】
この結果、制御部7は、コピー操作画面を示す画像信号をタッチパネル１ａに出力することによりコピー操作画面をタッチパネル１ａに表示させる。そして、ユーザは、このコピー操作画面に対して、原稿のコピーに必要な情報、例えば印刷用紙（画像記録媒体）の用紙サイズの種別、つまりＡ4サイズやＢ5サイズ等、印刷用紙について規定された定型サイズの種別及びコピー枚数等を指定し、またプレビュー画面の表示を指示する操作ボタン（プレビューボタン）を押圧操作する。なお、このプレビュー画面は、周知のようにユーザが原稿のコピー状態を事前確認するためのものである。
【００２９】
タッチパネル１ａは、このようなユーザの操作指示を受け付けると、当該操作指示を示す操作信号を制御部7に出力する。この結果、制御部7は、原稿のコピーに必要な情報を内部メモリに記憶させると共に、当該原稿のコピーに必要な情報に基づいてプレビュー画面を示す画像信号を生成してタッチパネル１ａに出力することにより、上記プレビュー画面をタッチパネル１ａに表示させる（ステップＳ1）。
【００３０】
図３は、プレビュー画面Ｇの一例を示す模式図である。このプレビュー画面Ｇは、図示するように、仕上り状態表示領域Ｇ1と操作領域Ｇ2とから構成されている。仕上り状態表示領域Ｇ1は、原稿の表題「○○○ドキュメント」、画像（家の画像）及び文章（点線で示す）とからなる原稿画像の印刷状態（コピー状態）を示す仕上り画面を表示する領域である。また、操作領域Ｇ2は、各種の操作画面を表示する領域である。なお、ステップＳ1では、図３に示すように、トリミングボタンＢ1、領域指定ボタンＢ2及びＯＫボタンＢ3とから操作画面が初期操作画面として表示される。
【００３１】
トリミングボタンＢ1は、ユーザが上記トリミング領域に基づくトリミング処理の実行を制御部7に指示するための操作ボタンである。領域指定ボタンＢ2は、ユーザがトリミング領域を指定するために必要な情報を制御部7に入力するための操作ボタンである。また、ＯＫボタンＢ3は、トリミング処理に関する操作の完了を制御部7に指示するための操作ボタンである。また、上記トリミング領域は、仕上り状態表示領域Ｇ1に表示された原稿画像に対して設定される印刷対象領域（コピー対象領域）であり、本実施形態における指定画像領域である。
【００３２】
制御部7は、このようなプレビュー画面Ｇの表示状態において、ユーザが領域指定ボタンＢ2を押圧操作し、この結果として当該領域指定ボタンＢ2の押圧操作を示す操作信号がタッチパネル１ａから入力されると（ステップＳ2）、図４に示すような縦ボタンＢ4、横ボタンＢ5、第１点指定ボタンＢ6、第２点指定ボタンＢ7、等倍ボタンＢ8、拡大ボタンＢ9、有ボタンＢ10、無ボタンＢ11及びＯＫボタンＢ12を含むトリミング領域設定画面を操作領域Ｇ2に表示させる（ステップＳ3）。
【００３３】
縦ボタンＢ4は、印刷用紙の縦／横のうち縦を選択指定するための操作ボタンであり、横ボタンＢ5は、印刷用紙の縦／横のうち横を選択指定するための操作ボタンである。第１点指定ボタンＢ6は、原稿画像に対してトリミング領域を指定するための２点（指定点）のうち、第１点Ｐ1を指定するための操作ボタンであり、第２点指定ボタンＢ7は、上記指定点のうち、第２点Ｐ2を指定するための操作ボタンである。
【００３４】
また、等倍ボタンＢ8は、トリミング領域に含まれる画像（原稿画像の一部）を等倍で（つまり拡大することなく）コピーすることを指示するための操作ボタンであり、拡大ボタンＢ9は、トリミング領域に含まれる画像を拡大してコピーすることを指示するための操作ボタンである。有ボタンＢ10は、トリミング領域に含まれる画像の回転処理を行うことを指示するための操作ボタンであり、無ボタンＢ11は、トリミング領域に含まれる画像の回転処理を行わないことを指示するための操作ボタンである。またＯＫボタンＢ12は、トリミング領域の指定操作の終了を指示するための操作ボタンである。
【００３５】
ユーザは、このようなプレビュー画面Ｇに対して所定の操作を行うことにより仕上り状態表示領域Ｇ1の原稿画像にトリミング領域を指定するが、最初に縦ボタンＢ4あるいは横ボタンＢ5を押圧操作することにより、印刷用紙の縦／横を選択指定する。例えば横ボタンＢ5がユーザによって押圧操作されると、つまり印刷用紙の横がユーザによって指定されると、タッチパネル１ａは、この横ボタンＢ5の押圧操作を示す操作信号を制御部7に出力する。
【００３６】
そして、制御部7は、上記横ボタンＢ5の押圧操作を示す操作信号がタッチパネル１ａから入力されると（ステップＳ4）、印刷用紙の横がユーザによって指定されたものと認識する。引き続いて、ユーザが仕上り状態表示領域Ｇ1上の２点、例えば図示する第１点Ｐ1、第２点Ｐ2を押圧操作し、その上でＯＫボタンＢ12を押圧操作すると、タッチパネル１ａは、この第１点Ｐ1及び第２点Ｐ2の押圧位置（座標）及びＯＫボタンＢ12の押圧操作を示す操作信号を制御部7に出力する。
【００３７】
制御部7は、このようにして上記第１点Ｐ1及び第２点Ｐ2の押圧位置（座標）及びＯＫボタンＢ12の押圧操作を示す操作信号がタッチパネル１ａから入力されると（ステップＳ5）、以下に説明するように用紙サイズの種別、印刷用紙の横、第１点Ｐ1及び第２点Ｐ2の押圧位置（座標）に基づいてトリミング領域を自動設定する（ステップＳ6）。
【００３８】
すなわち、用紙サイズの種別として例えばＡ4サイズがユーザによって指定された場合、制御部7は、図示するように、上記第１点指定ボタンＢ3の押圧位置と第２点指定ボタンＢ4の押圧位置とを両端とする線分を印刷用紙の横とし、当該印刷用紙の用紙サイズであるＡ4サイズに応じた縦横比の矩形領域を指定画像領域として演算する。なお、ユーザが縦ボタンＢ4を押圧操作することによって印刷用紙の縦を指定した場合には、第１点指定ボタンＢ3の押圧位置と第２点指定ボタンＢ4の押圧位置とを両端とする線分を印刷用紙の縦とし、当該印刷用紙の用紙サイズであるＡ4サイズに応じた縦横比の矩形領域を指定画像領域として演算する。
【００３９】
一方、制御部7は、ＯＫボタンＢ12の押圧操作を示す操作信号がタッチパネル１ａから入力されると、トリミング領域設定画面に代えて、トリミングボタンＢ1、領域指定ボタンＢ2及びＯＫボタンＢ3とからなる初期操作画面をタッチパネル１ａに表示させる。ユーザが、この初期操作画面のトリミングボタンＢ1を押圧操作すると、当該押圧操作を示す操作信号がタッチパネル１ａから制御部7に入力され、この結果として制御部7は、タッチパネル１ａに既に表示されているプレビュー画面Ｇを、トリミング画像Ｇ3を示すプレビュー画面Ｇに更新させる（ステップＳ7）。
【００４０】
すなわち、制御部7は、図５に示すように、原稿画像においてトリミング領域Ｓ以外の画像を削除した画像（トリミング画像）、つまりトリミング領域Ｓ内に含まれる「家の画像」の部分の画像を示す画像信号を生成してタッチパネル１ａに出力することにより、トリミング画像Ｇ3が仕上り状態表示領域Ｇ1に表示されたプレビュー画面Ｇをタッチパネル１ａに表示させる。
【００４１】
ここで、ユーザは、このようにしてタッチパネル１ａに表示されたトリミング画像に対して修正を施したい場合には、領域指定ボタンＢ2を再度押圧操作する。タッチパネル１ａは、ユーザによる領域指定ボタンＢ2の押圧操作を受け付けると、当該領域指定ボタンＢ2の押圧操作を示す操作信号を制御部7に出力する。制御部7は、上記操作信号がタッチパネル１ａから入力されると、つまりタッチパネル１ａからトリミング画像の修正指示を示す操作信号が入力されると（ステップＳ8）、以下に説明するような修正処理を経て生成したトリミング画像を含むプレビュー画面Ｇをタッチパネル１ａに表示させる（ステップＳ9）。
【００４２】
すなわち、制御部7は、タッチパネル１ａからトリミング画像の修正指示を示す操作信号が入力されると、トリミング領域設定画面を操作領域Ｇ2に再表示させる（図６参照）。
【００４３】
ここで、トリミング画像は、原稿画像からトリミング領域Ｓに含まれる「家の画像」以外の画像（表題及び文章）を削除したものなので、図５、図６に示すように、「家の画像」の周りは余白が多い。ユーザは、「家の画像」を印刷用紙に極力大きくコピーしたい場合、拡大ボタンＢ9、有ボタンＢ10及びＯＫボタンＢ12を押圧操作することにより、「家の画像」の拡大コピーを指示する。例えば、ユーザは、有ボタンＢ10を押圧操作することにより「家の画像」の回転処理を指示し、さらに拡大ボタンＢ9を押圧操作することにより「家の画像」の拡大処理を指示し、この上でＯＫボタンＢ12を押圧操作する。
【００４４】
この結果、タッチパネル１ａは、このような拡大ボタンＢ9、有ボタンＢ10及びＯＫボタンＢ12の押圧操作を示す操作信号を制御部7に出力する。そして、ユーザが初期操作画面のトリミングボタンＢ1をさらに押圧操作すると、当該押圧操作を示す操作信号がタッチパネル１ａから制御部7に入力され、この結果として制御部7は、タッチパネル１ａに既に表示されているプレビュー画面Ｇを、修正トリミング画像Ｇ3’を示すプレビュー画面Ｇに更新させる（ステップＳ9）。すなわち、制御部7は、図７に示すように、「家の画像」を９０度回転させた上で拡大したトリミング画像の画像信号を生成してタッチパネル１ａに出力することにより、修正トリミング画像Ｇ3’を含むプレビュー画面Ｇをタッチパネル１ａに表示させ、トリミング処理に関する全ての処理を終了する。
【００４５】
一方、図４に示すトリミング領域Ｓは、ユーザが意図するように原稿画像の「家の画像」を内包する矩形領域になっているが、ユーザによる第１点Ｐ1及び第２点Ｐ2の押圧操作の仕方によっては、トリミング領域Ｓがユーザが意図したものと多少ずれる、つまりトリミング領域Ｓが「家の画像」を完全に内包せず「家の画像」の一部がトリミング領域Ｓから外れることがあり得る。
【００４６】
このような場合、ユーザは第１点Ｐ1と第２点Ｐ2を指定し直すことによってトリミング領域Ｓを修正させる。すなわち、このような場合に、ユーザは、再度、第１点指定ボタンＢ6を操作してから第１点Ｐ1を押圧操作し、続いて第２点指定ボタンＢ7を操作してから第２点Ｐ2を押圧操作し、さらにＯＫボタンＢ12を押圧操作することによって第１点Ｐ1及び第２点Ｐ2を再指定する。そして、タッチパネル１ａは、このような押圧操作を示す操作信号を制御部7に出力する。
【００４７】
この結果、制御部7は、再指定された第１点Ｐ1及び第２点Ｐ2の押圧位置（座標）に基づいてトリミング領域Ｓを再度演算する。そして、ユーザが初期操作画面のトリミングボタンＢ1をさらに押圧操作すると、修正トリミング画像Ｇ3’を示すプレビュー画面Ｇタッチパネル１ａに表示させ、トリミング処理に関する全ての処理を終了する。なお、上記ステップＳ2の判断が「Ｎｏ」の場合、つまりトリミング領域の設定操作が何らなされることなくＯＫボタンＢ3が押圧操作された場合には、トリミング処理に関する全ての処理を終了する。
【００４８】
このような本実施形態によれば、ユーザが用紙サイズの種別、印刷用紙の縦／横、第１点Ｐ1及び第２点Ｐ2の押圧位置（座標）を指定するだけで、複合機Ａが当該印刷用紙の縦／横、第１点Ｐ1及び第２点Ｐ2の押圧位置（座標）とコピー処理に必要な情報として予め入力された用紙サイズとに基づいてトリミング領域Ｓを自動設定するので、従来技術よりもトリミング領域Ｓを簡単に設定することが可能である。また、第１点Ｐ1と第２点Ｐ2との２点を指定し直すだけで一旦設定されたトリミング領域Ｓを容易に変更することが可能である。
【００４９】
なお、本願発明は上記実施形態に限定されるものではなく、例えば以下のような変形例が考えられる。
（１）上記実施形態では、プレビュー画面Ｇを表示された原稿画像に対するトリミング領域Ｓの設定について説明したが、本発明は、これに限定されず、各種の電子装置の表示画面における画像領域の設定に適用することが可能である。すなわち、本発明は、画像形成装置に限定されることなく、表示機能と操作機能とを兼ね備えた種々の電子機器に適用可能である。
【００５０】
（２）上記実施形態では、本複合機Ａのコピー機能を使用する場合における原稿画像のトリミング処理について説明したが、本発明は、本複合機Ａのファクシミリ機能におけるトリミング処理にも適用可能である。
【符号の説明】
【００５１】
Ａ…複合機（画像形成装置）、１…操作表示部、１ａ…タッチパネル、１ｂ…操作キー、２…画像読取部、３…画像記憶部、４…通信部、５…画像処理部、６…印刷部、７…制御部、Ｂ1…トリミングボタン、Ｂ2…領域設定ボタン、Ｂ3、Ｂ12…ＯＫボタン、Ｂ4…縦ボタン、Ｂ5…横ボタン、Ｂ6…第１点指定ボタン、Ｂ7…第２点指定ボタン、Ｂ8…等倍ボタン、Ｂ9…拡大ボタン、Ｂ10…有ボタン、Ｂ11…無ボタン
【図１】
2010219764.tif 000003
【図２】
2010219764.tif 000004
【図３】
2010219764.tif 000005
【図４】
2010219764.tif 000006
【図５】
2010219764.tif 000007
【図６】
2010219764.tif 000008
【図７】
2010219764.tif 000009